(57)【要約】      （修正有）【課題】イヤホンとテンプルフレームの新規な結合構造を有するイヤホン付き眼鏡を提供する。【解決手段】本考案のイヤホン付き眼鏡１００は、左右一対のレンズ１１２が装着されるレンズフレーム１０３とレンズフレーム１０３の右側部を支持する右側テンプルフレーム１０２と、レンズフレーム１０３の左側部を支持する左側テンプルフレーム１０２とを有し、テンプルフレーム１０２の少なくとも一方に、イヤホン１０４が磁気的に取り外し可能に結合されていることを特徴とする。【選択図】図１
0003220463.tif 000002
【実用新案登録請求の範囲】
【請求項１】
左右一対のレンズが装着されるレンズフレームと
前記レンズフレームの右側部を支持する右側テンプルフレームと、
前記レンズフレームの左側部を支持する左側テンプルフレームとを有し、
前記テンプルフレームの少なくとも一方に、イヤホンが磁気的に取り外し可能に結合されていることを特徴とするイヤホン付き眼鏡。
【請求項２】
イヤホン、あるいは、テンプルフレームの一方に第１磁石を配置し、他方に前記第１磁石に磁気的に結合する第２磁石あるいは金属片を配置して、イヤホンが、テンプルフレームの外側側面に磁気的に結合されるように構成されている請求項１に記載のイヤホン付き眼鏡。
【請求項３】
前記イヤホンは、ハウジングと、前記ハウジングの上部に設けられたイヤピース部とを有し、前記ハウジングの底面には空洞が設けられており、
前記テンプルフレームのチップ部には、突起片が設けられており、
チップ部の突起片、あるいは、前記ハウジングの空洞の一方に第１磁石を配置させて、他方には、前記第１磁石に磁気的に結合する第２磁石または金属片を配置させて、前記イヤホンと、前記テンプルフレームのチップ部とが磁気的に結合される請求項１または２に記載のイヤホン付き眼鏡。
【請求項４】
前記イヤホンが取り付けられるテンプルフレームは、取り外し可能であり、充電可能なバッテリーと、ブルートゥースに対応する無線受信部を備える制御部とを有し、
眼鏡の外部にある送信機から送信された信号を前記無線受信部が受信して、イヤホンで再生されるように構成されている請求項１〜３のいずれか一項に記載のイヤホン付き眼鏡。
【請求項５】
前記レンズフレームには、マイクが設けられ、マイクで集音した音または音声をイヤホンで再生されるように構成されている請求項１〜３のいずれか一項に記載のイヤホン付き眼鏡。
【考案の詳細な説明】
【技術分野】
【０００１】
本考案は、イヤホン付き眼鏡に関するものである。
【背景技術】
【０００２】
眼鏡の高機能化が検討されている。例えば、特許文献１には、眼鏡と、その眼鏡の左右一対のつるの内、少なくとも一方のつるの自由端部の側面に形成された凹部と、その凹部に着脱自在に装着された補聴器本体と、その補聴器本体に内蔵され、集音した音声を電気信号に変換するマイクと、前記電気信号を増幅する増幅器と、増幅された前記電気信号を音声信号に変換するイヤホンと、を備えたことを特徴とする補聴器付眼鏡が開示されている。
【０００３】
特許文献２には、携帯送受信機からの情報を送受信する眼鏡であって、かかる眼鏡に送受信用アンテナ、イヤホン、収縮及びフレキシブルマイク、発着スイッチ、ボリューム、バッテリーチェッカー、電源、緊急１１０番発信スイッチを装着したことを特徴とする送受信機能付き眼鏡が開示されている。
【０００４】
特許文献３には、左右一対のレンズを有するフロント部と、該フロント部の両側に取り付けられたヒンジ部と、該ヒンジ部に取り付けられたテンプル部とを有する眼鏡に、マイク部と、該マイク部を支持する本体部と、前記マイク部に拾われた音声を伝える伝達部とを有する補聴器が、着脱可能となるように取り付けられた補聴器付き眼鏡であって、前記マイク部が前記補聴器の前側に位置するように、前記補聴器が前記テンプル部の内側に取り付けられている補聴器付き眼鏡が開示されている。
【０００５】
特許文献４には、２つのレンズの周りを囲む眼鏡リムを連結する眼鏡ブリッジに設けられた指向性マイクと、前記眼鏡リムの左端と右端とのそれぞれに設けられた無指向性マイクと、前記眼鏡リムに連結される左フレームと右フレームとのそれぞれに設けられたスピーカーと、前記左フレームと前記右フレームとの一方のフレームに設けられた第１タッチセンサーと、前記第１タッチセンサーからの信号により前記指向性マイクをオンさせて音声信号を前記スピーカーに出力させる制御回路と、を備えることを特徴とする眼鏡型補聴器が開示されている。
【先行技術文献】
【特許文献】
【０００６】
【特許文献１】特開２００６−１６２８７９号公報
【特許文献２】特開２００７−１７４６１２号公報
【特許文献３】特開２０１４−５９５４４号公報
【特許文献４】特開２０１６−３９６３２号公報
【考案の概要】
【考案が解決しようとする課題】
【０００７】
従来のイヤホン付き眼鏡は、イヤホンが眼鏡と柔らかいコードで結合されているために、イヤホンを使用していないときには、イヤホンが固定されず邪魔になるという問題があった。また、眼鏡のテンプルフレームとイヤホンとをアームのような剛性部材で結合すると、イヤホンと耳との密着性が低下し、音が聞きにくくなる、あるいは、音漏れなどの問題があった。
【０００８】
本考案は、上記事情に鑑みてなされたものであり、イヤホンとテンプルフレームの新規な結合構造を有するイヤホン付き眼鏡を提供することを課題とする。
【課題を解決するための手段】
【０００９】
本考案のイヤホン付き眼鏡は、左右一対のレンズが装着されるレンズフレームと前記レンズフレームの右側部を支持する右側テンプルフレームと、前記レンズフレームの左側部を支持する左側テンプルフレームと、前記テンプルフレームの少なくとも一方にイヤホンが磁気的に取り外し可能に結合されていることを特徴とする。
【考案の効果】
【００１０】
本考案によれば、イヤホンを眼鏡のテンプルフレームに磁気的に取り付けておくことにより、使用する際には、イヤホンを簡単に取り外して使用することができる。また、使用しないときには、イヤホンが眼鏡のテンプルフレームに磁気的に結合されているので、邪魔にならない。
【００１１】
また、本考案のイヤホン付き眼鏡は、デザイン性に優れる。
【図面の簡単な説明】
【００１２】
【図１】本考案のイヤホン付き眼鏡を右側側面からみた斜視図。
【図２】本考案のイヤホン付き眼鏡の制御を示すブロック図。
【図３】右側テンプルフレームを取り外した状態の内側側面の斜視図。
【図４】右側テンプルフレームの別態様について、取り外した状態の外側側面の斜視図。
【図５】イヤホンとテンプルフレームの結合構造を説明する説明図。
【図６】本考案のイヤホン付き眼鏡の別態様について、下側からみた斜視図。
【図７】右側テンプルフレームの別態様について、取り外した状態の外側側面の斜視図。
【図８】本考案のイヤホン付き眼鏡の別態様について、右側側面からみた斜視図
【図９】図８の態様のイヤホン付き眼鏡の制御を示すブロック図。
【考案を実施するための形態】
【００１３】
本考案のイヤホン付き眼鏡は、左右一対のレンズが装着されるレンズフレームと前記レンズフレームの右側部を支持する右側テンプルフレームと、前記レンズフレームの左側部を支持する左側テンプルフレームと、前記テンプルフレームの少なくとも一方にイヤホンが磁気的に結合されていることを特徴とする。
【００１４】
本考案のイヤホン付き眼鏡には、左右のテンプルフレームの少なくとも一方に、イヤホンが磁気的に結合されていることが好ましい。イヤホンが取り付けられる態様としては、いずれか一方のテンプルフレームに一つのイヤホンを取り付ける態様；いずれか一方のテンプルフレームに二つのイヤホンを取り付ける態様；あるいは、左右のテンプルフレームのそれぞれに一つのイヤホンを取り付ける態様などを挙げることができる。
【００１５】
テンプルフレームは、レンズフレームに直接または間接的に結合して、レンズフレームを支持する。テンプルフレームは、レンズフレーム側に位置するテンプルフレーム本体部と、前記テンプルフレーム本体部に連結する耳に掛かるチップ部とを有する。チップ部とは、モダンと称されることがある。
【００１６】
本考案のイヤホン付き眼鏡のイヤホンは、特に限定されるものではないが、スピーカーユニットを有するハウジングと、前記ハウジング上部に設けられたイヤピース部とを有するものが好ましい。イヤホンのハウジングの底面には空洞を設けることが好ましい。
【００１７】
イヤホンは、テンプルフレームのいずれの箇所に取り付けてもよいが、テンプルフレームの外側側面に結合されることが好ましく、チップ部の外側側面に結合されることがより好ましく、チップ部先端の外側側面に結合されることがさらに好ましい。
【００１８】
イヤホンと、テンプルフレームとを磁気的に結合する構造としては、例えば、イヤホン、あるいは、テンプルフレームの一方に第１磁石を配置し、他方に前記第１磁石に磁気的に結合する第２磁石あるいは金属片を配置する態様が好ましく、イヤホンのハウジング、あるいは、テンプルフレームのチップ部の一方に第１磁石を配置し、他方に前記第１磁石に磁気的に結合する第２磁石あるいは金属片を配置する態様がより好ましい。
【００１９】
より好ましい態様では、イヤホンは、ハウジングと、前記ハウジングの上部に設けられたイヤピース部とを有し、前記ハウジングの底面には空洞が設けられており、前記テンプルフレームのチップ部には、突起片が設けられており、チップ部の突起片、あるいは、ハウジングの空洞の一方に第１磁石を配置させて、他方には、前記１磁石に磁気的に結合する第２磁石または金属片を配置させて、前記イヤホンと、前記テンプルフレームのチップ部とが磁気的に結合されている。
【００２０】
前記突起片の形状は、特に限定されず、例えば、円柱状、角柱状、楕円柱状などのいずれの形を有してもよい。前記突起片の形状は、円柱状であることが好ましい。
【００２１】
イヤホンは、電力／通信ワイヤによりテンプルフレームに結合されていることが好ましい。電力／通信ワイヤは、テンプルフレームの本体部から外へと出て、イヤホンに結合する。イヤホンとテンプルフレームとが電力／通信ワイヤにより結合されることにより、両者の磁気的結合が解除された場合であっても、イヤホンがテンプルフレームから落下するのを防止することができる。
【００２２】
テンプルフレームは、充電可能なバッテリーおよび、制御部を有することが好ましい。前記制御部は、イヤホンで音または音声を再生するため制御を行う。前記充電可能なバッテリーおよび制御部は、テンプルフレームの本体部に収納されていることが好ましい。バッテリーから電力が供給され制御部が作動する。
【００２３】
前記制御部は、無線受信部を有することが好ましい。この態様は、眼鏡の外部にある送信機から送信された無線信号を無線受信部が受信して、イヤホンで音あるいは音声を再生するように構成されている。前記無線受信部は、眼鏡の外部にある送信機から送信された無線信号を受信し、受信した信号を後述する音量調整部に出力する。
【００２４】
前記制御部は、音量調整部を有することが好ましい。イヤホンは、音量調整部に電気的に接続されていることが好ましい。音量調整部は、入力された信号を必要に応じて増幅あるいは減衰し、電力／通信ワイヤを介してイヤホンへと送信する。テンプル本体部に収容されたバッテリーから、電力／通信ワイヤを介して、イヤホンに電力が供給されて、イヤホンが作動して、音あるいは音声が再生される。
【００２５】
前記無線受信部は、ブルートゥース（登録商標）に対応できる無線受信部であることが好ましい。眼鏡外部から眼鏡に無線信号を送信する送信機としては、特に限定されず、例えば、携帯端末、スマートフォン、補聴器などを挙げることができる。
【００２６】
本考案の好ましい態様では、前記イヤホンが取り付けられるテンプルフレームは、充電可能なバッテリーとブルートゥースに対応する無線受信部を備える制御部とを有し、眼鏡外部から送信されたブルートゥースの無線信号を前記無線受信部が受信して、イヤホンで再生されるように構成されていることが好ましい。
【００２７】
テンプルフレームには、パワーボタン、パワーインジケーター、音量調整用つまみが設けられていることが好ましい。
【００２８】
本考案のイヤホン付き眼鏡のレンズフレームは、特に限定されないが、レンズ全体をフレームで囲むフルリム、レンズの上方部分のみを囲むハーフリム、レンズの下方部分のみを囲むアンダーリム、ブリッジの部分と、テンプルと接する部分の２点だけが囲まれているツーポイントリムなどが挙げられる
【００２９】
本考案の別の好ましい態様では、前記レンズフレームにマイクが設けられている。この態様では、マイクで集音した音または音声を、必要に応じて増幅し、イヤホンで再生する。
【００３０】
本考案のイヤホン付き眼鏡のレンズは、特に限定されない。例えば、遠視用レンズ、近視用レンズ、遠近両用レンズ、カラーレンズ、ブルーライトをカットするレンズ、紫外線をカットするレンズなどを挙げることができる。
【００３１】
以下、図面を参照しながら、本考案を説明するが、本考案は図面に示した態様に限定されない。
【００３２】
図１は、本考案のイヤホン付き眼鏡を側面側から見た斜視図である。イヤホン付き眼鏡１００は、左右一対のレンズ１１２が装着されるレンズフレーム１０３と、前記レンズフレーム１０３の右側部を支持する右側テンプルフレーム１０２と、前記レンズフレーム１０３の左側部を支持する左側テンプルフレーム１０２とを有する。なお、眼鏡をかけた時の頭部右側に位置するテンプルフレームを右側テンプルフレームとし、頭部の左側に位置するテンプルフレームを左側テンプルフレームとする。また、目側（レンズ側）を前方とし、耳側を後方とする。また、眼鏡をかけたときに、鼻に接する側を下方とし、その反対を上方とする。
【００３３】
テンプルフレーム１０２は、レンズフレーム側に位置するフレーム本体部１０２ａと、フレーム本体部１０２ａに連結する耳に掛かるチップ部１０２ｂとを有する。チップ部１０２ｂは、耳に掛かりやすい形状に本体部から下方に屈曲し、あるいは、湾曲部が設けられていることが好ましい。なお、チップ部１０２ｂは、モダンと称される場合もある。
【００３４】
前記テンプルフレーム１０２は、取り外し可能である。テンプルフレーム１０２は、接続部材１０８を介してレンズフレーム１０３に結合している。接続部材１０８は、レンズフレーム１０３にヒンジによって結合している。そのため、テンプルフレーム１０２と接続部材１０８とが、一体となり、水平方向に回動可能なようにレンズフレーム１０３に結合している。
【００３５】
図１の態様では、前記右側テンプルフレーム１０２のチップ部１０２ｂの先端の外側側面に、イヤホン１０４が磁気的に結合している。テンプルフレーム１０２のチップ部１０２ｂの側面には、外側（頭部とは反対方向）に向かって、磁石からなる突起片１１６が設けられている。この磁石の作用により、イヤホン１０４がテンプルフレーム１０２に磁気的に結合する。なお、図１の態様は、右側テンプルフレーム１０２のチップ部１０２ｂにイヤホン１０４が磁気的に結合している態様であるが、左側のテンプルフレーム１０２のチップ部１０２ｂにイヤホン１０４を磁気的に結合してもよい。
【００３６】
テンプルフレーム１０２の前方上部には、パワーボタン１２２が設けられている。テンプルフレームの本体部１０２ａの外側側面には、パワーインジケーター１０６が設けられている。パワーボタン１２２は、イヤホンの音量調整機能（音量調整つまみ）を兼ね備える。
【００３７】
イヤホン１０４は、電力／通信ワイヤ１１４によりテンプルフレーム１０２に結合されていることが好ましい。電力／通信ワイヤ１１４は、テンプルフレーム１０２の本体部１０２ａから外へと出て、イヤホン１０４のハウジング１０４ａに結合する。イヤホン１０４とテンプルフレーム１０２とが電力／通信ワイヤ１１４により結合されることにより、両者の磁気的結合が解除された場合であっても、イヤホン１０４がテンプルフレーム１０２から落下するのを防止することができる。
【００３８】
テンプルフレームの本体部１０２ａには、充電可能なバッテリーおよび制御部が収納されている。
【００３９】
図２は、制御部１０７の構成を示すブロック図である。制御部１０７は、ブルートゥース対応の無線受信部１０９と音量調整部１１１とを備える。イヤホン１０４と音量調整機能を備えるパワーボタン１２２が音量調整部１１１に電気的に接続されている。
【００４０】
充電可能なバッテリー１１３は、制御部１０７に電力を供給する。パワーボタン１２２は、充電可能なバッテリーに接続されており、パワーボタン１２２を押すことにより通電状態となる。パワーインジケーター１０６は点灯することにより、通電状態かどうかをユーザーに示すことができる。充電可能なバッテリー１１３は、制御部１０７を介して、イヤホン１０４に電力を供給する。
【００４１】
前記無線受信部１０９は、眼鏡の外部にある送信機から送信された信号を受信し、受信した信号を音量調整部１１１へと出力する。音量調整部１１１は、入力された信号を、必要に応じて増幅あるいは減衰し、電力／通信ワイヤ１１４を介してイヤホン１０４へと送信する。バッテリー１１３から、制御部１０７を介して、イヤホンに電力が供給されて、イヤホンが作動して、音または音声が再生される。
【００４２】
パワーボタン１２２は、音量調整機構を兼ね備え、音量調整部１１１に接続されている。パワーボタン１２２の前方を押すと、イヤホンの音量が大きくなり、パワーボタン１２２の後方を押すと、イヤホンの音量が小さくなる。
【００４３】
図１の態様のイヤホン付き眼鏡のテンプルフレーム１０２は、取り外し可能である。例えば、テンプルフレーム１０２のみを取り外して、テンプルフレーム１０２に内蔵されたバッテリーを充電することができる。その間、一般のテンプルフレームを取り付けて、眼鏡として使用することができる。
【００４４】
図３は、右側テンプルフレームを取り外した状態で、右側テンプルフレーム１０２の内側（頭部に接する側）から見た斜視図である。
【００４５】
テンプルフレーム１０２は、レンズフレーム１０３側に位置するフレーム本体部１０２ａと、前記フレーム本体部１０２ａに連結する耳に掛かるチップ部１０２ｂとを有する。テンプルフレームの本体部１０２ａの先端には、接続部材１０８に結合する接続片１２０が設けられている。接続片１２０を接続部材１０８に設けられた空洞に嵌合して、テンプルフレーム１０２を取り外し可能に接続部材１０８に取り付けることができる。
【００４６】
テンプルフレーム１０２の本体部１０２ａは、充電可能なバッテリーおよび制御部を収納している。テンプルフレーム１０２の本体部の１０２ａ後方から、電力および信号を送信するための電力／通信ワイヤ１１４がテンプルフレーム１０２の内部から外へ出て、イヤホン１０４のハウジング１０４ａに結合する。
【００４７】
イヤホン１０４は、テンプルフレーム１０２のチップ部１０２ｂに設けられた磁石からなる突起片１１６に磁気的に結合している。
【００４８】
図４は、イヤホン１０４が取り付けられたテンプルフレーム１０２の変形例である。この態様では、追加のイヤホン１０５を取り付けることができる。図３と構成が同じ部分については、説明を一部省略する。
【００４９】
テンプルフレーム１０２の前方下部には、パワーボタン１２２が設けられている。テンプルフレーム１０２の本体部の外側の側面には、パワーインジケーター１０６が設けられている。テンプルフレーム本体部１０２ａの下方には、ポート１１８が設けられている。このポート１１８は、充電可能なバッテリーへの充電ポート、ならびに、バッテリーおよび制御部から追加のイヤホン１０５への電力および信号の出力ポートとして機能することができる。追加のイヤホン１０５の接続ケーブル１１５をポート１１８に接続することにより、２個のイヤホンで音を再生することができる。
【００５０】
図５は、イヤホン１０４とテンプルフレーム１０２とが磁気的に結合する構造を説明する説明図である。イヤホン１０４は、テンプルフレーム１０２のチップ部１０２ｂに磁気的に結合している。
【００５１】
テンプルフレーム１０２のチップ部１０２ｂの外側側面には、円柱状の突起片１１６が設けられている。チップ部に設けられる突起片１１６の先端部には、第１磁石１１７が収納されていることが好ましい。あるいは、突起片１１６自体を第１磁石１１７で構成してもよい。
【００５２】
イヤホン１０４は、スピーカーユニットが内蔵されたハウジング１０４ａと、ハウジング１０４ａの上部に設けられたイヤピース部１０４ｂとを有している。ハウジング１０４ａの底面には空洞１２４が設けられている。ハウジング１０４ａの空洞１２４は、底面を有する円筒状の形状を有している。
【００５３】
イヤホンのハウジング１０４ａに設けられた空洞１２４には、チップ部１０２ｂに設けられた第１磁石１１７と磁気的に結合する第２磁石１２３が配置されている。また、イヤホンのハウジング１０４ａの底面の空洞１２４の開口の周囲には、ハウジングの底面から起立する円周壁１２５が設けられていることが好ましい。この円周壁１２５は、第２磁石１２３の表面よりも突出しているため、円周壁１２５と第２磁石の表面により浅い凹部が形成される。
【００５４】
イヤホン１０４のハウジング１０４ａの底面をチップ部１０２ｂの突起片１１６に近づけると、イヤホン１０４の第２磁石１２３と突起片１１６の第１磁石１１７とが磁気的に結合する。すなわち、イヤホン１０４がテンプルフレーム１０２のチップ部１０２ｂに磁気的に結合する。また、突起片１１６の先端部が、円周壁１２５と第２磁石の表面により形成された浅い凹部に嵌合する。この嵌合により、イヤホン１０４が、横方向にずれることが防止される。
【００５５】
円周壁１２５の高さは、イヤホン１０４が横方向にずれるのを防止できる程度の高さであることが好ましく、０．２ｍｍ以上が好ましく、０．５ｍｍ以上が好ましく、１ｍｍ以上がより好ましく、５ｍｍ以下がさらに好ましく、３ｍｍ以下がより好ましく、２．５ｍｍ以下がさらに好ましい。円周壁の高さが高すぎると、イヤホンを取り外しにくくなる。
【００５６】
イヤホン１０４のハウジング１０４ａに設けられる空洞１２４に第２磁石を配置せずに、鉄などの磁石と結合する金属片を配置してもよい。イヤホン１０４のハウジング１０４ａの空洞１２４に突起片１１６に近づけると、突起片１１６の第１磁石１１７が、空洞１２４の金属片と磁気的に結合する。この磁気的結合により、イヤホン１０４がテンプルフレーム１０２のチップ部１０２ｂに結合する。
【００５７】
また、イヤホン１０４のハウジング１０４ａのみに第２磁石１２３を配置して、テンプルフレームのチップ部には、前記第２磁石と磁気的に結合する金属からなる突起片１１６を設けることもできる。
【００５８】
図６は、別の好ましい態様のイヤホン付き眼鏡を下側から見た斜視図である。図１〜４で説明した構成と同じ構成については、説明を一部省略する。この態様では、左右一対のテンプルフレーム１０２が、レンズフレーム１０３にヒンジによって水平方向に回動可能なように直接結合している。テンプルフレーム１０２は、取り外し可能にレンズフレーム１０３に結合している。
【００５９】
右側テンプルフレーム１０２の下部（図面では、上側）には、イヤホンの音量を調整するためのボリュームつまみ１２６と、ポート１１８が設けられている。このポート１１８は、充電可能なバッテリーへの充電ポート、ならびに、バッテリーおよび制御部から追加のイヤホンへの電力および信号の出力ポートとして機能することができる。
【００６０】
図７は、図６の好ましい態様における右側テンプルフレームの変形例である。テンプルフレームの本体部の上面において、レンズフレームに近い位置にパワーボタン１２２が設けられている。
【００６１】
図８は、図１のイヤホン付き眼鏡の変形例である。レンズフレーム１０３の右側の端部正面には、マイク１１０が設けられている。この態様では、マイク１１０で受信した音または音声をイヤホン１０４で再生することができる。マイク１１０は、指向性マイクあるいは無指向性マイクのいずれであってもよい。
【００６２】
テンプルフレームの本体部１０２ａには、充電可能なバッテリーおよび制御部が収納されている。図９は、図８の態様におけるイヤホン付き眼鏡の制御部１０７の構成を示すブロック図である。制御部１０７は、マイク制御部１１９と音量調整部１１１とを備える。イヤホン１０４と音量調整機能を備えるパワーボタン１２２が音量調整部１１１に電気的に接続されている。
【００６３】
充電可能なバッテリー１１３は、制御部１０７に電力を供給する。パワーボタン１２２は、充電可能なバッテリーに接続されており、パワーボタン１２２を押すことにより通電状態となる。パワーインジケーター１０６は点灯することにより、通電状態かどうかをユーザーに示すことができる。充電可能なバッテリーは、制御部１０７を介して、イヤホン１０４に電力を供給する。
【００６４】
マイク１１０は、マイク制御部１１９に電気的に接合されている。マイク１１０は、集音した音声信号を電気信号に変換し、マイク制御部１１９に出力する。マイク制御部１１９は、マイク１１０からの信号を受信し、受信した信号を音量調整部１１１へと出力する。音量調整部１１１は、入力された信号を、必要に応じて増幅あるいは減衰し、電力／通信ワイヤ１１４を介してイヤホン１０４へと送信する。バッテリー１１３から、制御部１０７を介して、イヤホンに電力が供給されて、イヤホンが作動して、音または音声が再生される。
【産業上の利用可能性】
【００６５】
本発明は、イヤホン付き眼鏡として有用である。
【符号の説明】
【００６６】
１００：イヤホン付き眼鏡、１０２：テンプルフレーム、１０３：レンズフレーム、１０４：イヤホン、１０６：パワーインジケーター、１０７：制御部、１０８：接続部材、１０９：無線受信部、１１０：マイク、１１１：音量調整部、１１２：レンズ、１１４：電力／通信ワイヤ、１１６：突起片、１１７：第一磁石、１１８：ポート、１１９：マイク制御部、１２０：接続片、１２２：パワーボタン、１２３：第二磁石、１２４：空洞、１２５：円周壁、１２６：ボリュームつまみ
【図１】
0003220463.tif 000003
【図２】
0003220463.tif 000004
【図３】
0003220463.tif 000005
【図４】
0003220463.tif 000006
【図５】
0003220463.tif 000007
【図６】
0003220463.tif 000008
【図７】
0003220463.tif 000009
【図８】
0003220463.tif 000010
【図９】
0003220463.tif 000011